(57)【要約】  近位端から遠位端まで延びる第１のアームと、近位端から遠位端まで延び、枢動点において前記第１のアームと連結された第２のアームと、を、第１の取り付け点において前記第１のアームの内側表面に連結され、前記第２のアームの方向に湾曲した第１の板ばねと、前記第２のアームの内側表面に連結され、それを貫通して延びるスイッチ開口部を有するスイッチであって、前記スイッチ開口部が前記第１の板ばねを受容することにより前記第１及び第２のアームが把持形態へと径方向に圧縮される際に前記第１及び第２のアームを互いに対して所望の位置に維持するラチェット機構を構成する、スイッチと、組み合わせて有する鉗子である。
2017524435.tif 000002
【特許請求の範囲】
【請求項１】
鉗子であって、
近位端から遠位端まで延びる第１のアームと、
近位端から遠位端まで延び、枢動点において前記第１のアームと連結された第２のアームと、
第１の取り付け点において前記第１のアームの内側表面に連結され、前記第２のアームの方向に湾曲した第１の板ばねと、
前記第２のアームの内側表面に連結され、内部を貫通して延びるスイッチ開口部を有するスイッチであって、前記スイッチ開口部が前記第１の板ばねを受容することにより、前記第１及び第２のアームが把持形態へと径方向に圧縮される際に、前記第１及び第２のアームを互いに対して所望の位置に維持するラチェット機構を構成する、スイッチと、を有する、鉗子。
【請求項２】
前記第１の板ばねの側壁が、前記スイッチ開口部と係合して前記ラチェット機構を構成する複数の傾斜壁を有する、請求項１に記載の鉗子。
【請求項３】
第２の取り付け点において前記第１のアームの前記内側表面に連結された第２の板ばねを更に有する、請求項１に記載の鉗子。
【請求項４】
前記第１の板ばねの横の壁の当接要素と、
前記第２の板ばねを貫通して延び、内部を通じて前記第１の板ばねを受容するサイズに構成された細長いスロットであって、前記第１の板ばねの前記当接要素における幅が前記細長いスロットの幅よりも大きいことにより、前記第２の板ばねに対する前記第１の板ばねの運動が制限される、細長いスロットと、を更に有する、請求項３に記載の鉗子。
【請求項５】
前記第１の取り付け点が、前記第２の取り付け点よりも遠位に配置されている、請求項３に記載の鉗子。
【請求項６】
前記スイッチは、折り畳み形態と、前記スイッチが前記第１のアームの方向に向けられる拡張形態との間で動くことができる、請求項１に記載の鉗子。
【請求項７】
前記第１のアームの前記遠位端が、骨の外表面の輪郭に一致するように形成された湾曲壁を有する、請求項１に記載の鉗子。
【請求項８】
前記湾曲壁の骨接触面が、摩擦を高めるための表面処理部を有する、請求項７に記載の鉗子。
【請求項９】
前記第２のアームの前記遠位端は、骨プレートが配置された表面の反対側の骨の外表面上に前記第１のアームの前記遠位端が配置される際に、前記骨プレートを貫通して延びるプレート穴内に受容されるようなサイズに構成されたボール先端部を有する、請求項７に記載の鉗子。
【請求項１０】
前記第２のアームの前記遠位端が、前記鉗子の長手方向軸に対してオフセットしたカニューレ軸に沿って延びるカニューレ状円筒体を有し、前記カニューレ状円筒体がこれを通じてドリルガイドを受容するようなサイズに構成されている、請求項７に記載の鉗子。
【請求項１１】
前記カニューレ状円筒体が、第１及び第２の骨接触先端部を有し、前記第１及び第２の骨接触先端部は、前記湾曲面が骨の第１の部分の反対側の骨の第２の部分と接触する際に前記第１の部分と接触することによって骨折を整復するように構成されている、請求項１０に記載の鉗子。
【請求項１２】
鉗子であって、
第１のアームと、
前記第１のアームと運動可能に連結された第２のアームと、
第１の取り付け点において前記第１のアームの内側表面に連結され、前記第２のアームの方向に湾曲した第１の板ばねと、
第２の取り付け点において前記第１のアームの前記内側表面に連結され、前記第２のアームの方向に湾曲した第２の板ばねと、
前記第２のアームの内側表面に連結され、内部を貫通して延びるスイッチ開口部を有するスイッチであって、前記スイッチ開口部がそれを通じて前記第１の板ばねを受容することにより、前記第１及び第２のアームが把持形態へと径方向に圧縮される際に、前記第１及び第２のアームの位置を維持するラチェットを構成する、スイッチと、を有する、鉗子。
【請求項１３】
前記第１及び第２の板ばねは、前記鉗子を、前記第１及び第２のアームの遠位端同士が第１の間隔だけ互いから離間した径方向の拡張形態に向かって付勢する、請求項１２に記載の鉗子。
【請求項１４】
前記第１の取り付け点が、前記第２の取り付け点よりも遠位に位置する、請求項１２に記載の鉗子。
【請求項１５】
前記第１のアームの遠位端が、骨の外表面の輪郭に一致するように形成された湾曲壁を有する、請求項１２に記載の鉗子。
【請求項１６】
前記湾曲壁の骨接触面が、摩擦を高めるための表面処理部を有する、請求項１５に記載の鉗子。
【請求項１７】
前記第２のアームの遠位端は、骨プレートが配置された表面の反対側の骨の外表面上に前記第１のアームの前記遠位端が配置される際に前記骨プレートを貫通して延びるプレート穴内に受容されるようなサイズに構成されたボール先端部を有する、請求項１５に記載の鉗子。
【請求項１８】
前記第２のアームの遠位端が、前記鉗子の長手方向軸に対してオフセットしたカニューレ軸に沿って延びるカニューレ状円筒体を有し、前記カニューレ状円筒体がこれを通じてドリルガイドを受容するようなサイズに構成されている、請求項１５に記載の鉗子。
【請求項１９】
前記カニューレ状円筒体が、第１及び第２の骨接触先端部を有し、前記第１及び第２の骨接触先端部は、前記湾曲面が骨の第１の部分の反対側の骨の第２の部分と接触する際に前記第１の部分と接触することによって骨折を整復するように構成されている、請求項１８に記載の鉗子。
【発明の詳細な説明】
【技術分野】
【０００１】
本発明は、一般的に、手の骨折を固定するための鉗子、骨折した骨を整復する方法、及び骨プレートを骨と仮結合するための方法に関する。
【背景技術】
【０００２】
骨固定術においては、骨片同士のアラインメントを矯正し、永久的固定装置が骨に適用されるまでの間、骨片同士を矯正されたアラインメントで保持する目的でクランプが一般的に用いられている。典型的な骨整復用クランプは、一般的に、骨折部位に隣接して形成された切開を通じて、又は標的領域に隣接した複数の所定の位置に形成された複数の開口部を通じて骨折部位に挿入される。このような骨クランプは、一般的に、滑らずに容易に骨を把持することができるように先が尖った骨接点を有している。
【発明の概要】
【発明が解決しようとする課題】
【０００３】
しかしながら、これらのクランプは骨上で滑ってしまう場合があり、目的とする手術の全体にわたって外科医が鉗子のクランプ圧を手で維持する必要が生じ得る。
【課題を解決するための手段】
【０００４】
本発明は、近位端から遠位端まで延びる第１のアームと、近位端から遠位端まで延び、枢動点において前記第１のアームと連結された第２のアームと、を、第１の取り付け点において前記第１のアームの内側表面に連結され、前記第２のアームの方向に湾曲した第１の板ばねと、前記第２のアームの内側表面に連結され、内部を貫通して延びるスイッチ開口部を有するスイッチであって、前記スイッチ開口部が前記第１の板ばねを受容することにより前記第１及び第２のアームが把持形態へと径方向に圧縮される際に前記第１及び第２のアームを互いに対して所望の位置に維持するラチェット機構を構成する、スイッチと、を有する鉗子に関する。
【図面の簡単な説明】
【０００５】
本発明のいくつかの実施形態について以下に具体例を挙げ、添付の図面を参照して説明する。
【図１】本発明の例示的な一実施形態に基づく骨プレート保持鉗子の斜視図を示す。
【図２】図１の骨プレート保持鉗子の第１の側面図を示す。
【図３】図１の骨プレート保持鉗子の第２の側面図を示す。
【図４】図１の骨プレート保持鉗子の第１の板ばねの部分拡大図を示す。
【図５】本発明の第２の実施形態に基づく骨整復用鉗子の斜視図を示す。
【図６】図５の骨整復用鉗子の第１の側面図を示す。
【図７】図５の骨整復用鉗子の第２の側面図を示す。
【発明を実施するための形態】
【０００６】
例示的な各実施形態は、以下の説明文及び添付の図面を参照して更に理解することができる。尚、添付の図面において、類似の要素は同じ参照番号で示されている。第１の実施形態は、骨プレートを骨上の所望の位置に仮ロックするための装置及び方法に関するものである。より詳細には、例示的なプレート保持鉗子は、互いに枢動可能に取り付けられ、その第１及び第２の遠位端が互いから第１の間隔だけ離間した拡張形態と、第１及び第２の遠位端が互いに近づけられてその間に骨及び骨プレートを把持する圧縮形態との間で動くことが可能な第１及び第２のアームを有する。第１のアームの近位部分は、鉗子に圧縮力が加えられるまでの間、鉗子を拡張形態に維持する第１及び第２の板ばねを有する。第２の板ばねは、ラチェット係合により第２のアームの近位部分に形成されたスイッチを通じて摺動可能に受容される。第１のアームの第１の遠位端は、骨プレートの位置に対向する骨の外周の一部にわたって延びるように形成された、湾曲部分を有する。第２の遠位端は骨プレートを貫通して延びるプレート穴を通じて受容されるように形成された、ボール先端部を有する。作動形態では、第１及び第２のアームが圧縮されるにしたがって、第２の板ばねが、スイッチを貫通して延びる開口部内に近位方向に滑り込む。第２の板ばねは、第２の板ばねがスイッチから遠位方向に動いて外れることを防止するように形成された、複数の傾斜ラチェット壁を有する。これにより、第１及び第２のアームが圧縮される際、ラチェット機構が、第１及び第２の遠位端の間に配置された骨及び骨プレートの摩擦係合を維持し、外科医が常に圧縮する必要がない。第２の実施形態では、骨整復用鉗子に、プレート保持鉗子とほぼ同じラチェット機構が設けられる。骨整復用鉗子は、第１の遠位端において骨の外表面と係合するように形成された湾曲部分を有し、第２の遠位端においてこれを通じて骨内へとドリル装置を案内するように構成されたドリルガイドカニューレを有する。第２の実施形態の例示的な一方法によれば、骨折した骨の骨片同士は仮アラインメントされる。骨整復用鉗子は骨上に配置され、ラチェット動作によって圧縮されて、鉗子が外科医によって解放された後においても、鉗子、ひいては骨片同士を所望の向きに維持する。次いで、ドリル装置をカニューレに挿通し、所望の位置に骨を貫通して骨穴を形成する。次いで、ガイドワイヤ、骨ねじ又は骨ピンをこの穴に挿通して骨片同士を互いに固定することができる。本明細書で使用するところの「近位」なる用語は、作動形態において外科医又は他の使用者に近づく方向を指し、「遠位」なる用語は、作動形態において患者の標的骨に近づく方向を指す。
【０００７】
図１〜４に示されるように、本発明の第１の例示的実施形態に基づく骨プレート保持鉗子１００は、それぞれ近位端１０５，１０７から遠位端１０９，１１０にまで延びる第１及び第２のアーム１０２，１０４を有している。アーム同士は、例えば止めねじ１０８によって枢動点１０６において互いに枢動可能に連結される。当業者によれば理解されるように、第１及び第２のアーム１０２，１０４の近位端１０５，１０７はそれぞれ、その把持を助けるために径方向外側に広がった指ループ１０３を有している。枢動点１０６の近位にそれぞれ位置する第１及び第２のアーム１０２，１０４の近位部分１１２，１１４は、その把持を更に助けるために表面処理が施されている。一実施形態では、この表面処理部は、第１及び第２の近位部分１１２，１１４にエッチングされた複数の凹部１１６を含み得る。凹部１１６は、第１及び第２の近位部分１１２，１１４の長手方向軸１１８に対して直交するように配列することができる。しかしながら、本発明の範囲から逸脱することなく、凹部１１６は軸１１８に対して任意の角度で延在し得る点に留意されたい。第１及び第２の近位部分１１２，１１４は、枢動点１０６から近位端１０５，１０７にまで湾曲した凸状の経路を辿る。
【０００８】
第１のアーム１０２は、第１のアーム１０２の内側表面に連結された第１の端部１２２から第２の自由端１２４にまで延びる第１の板ばね１２０を更に有している。第１の板ばね１２０の第１の端部１２２は、これを通じて第１のロックピン１２６を受容する開口部（図には示されていない）を有している。詳細には、第１のアームのピン開口部１２８が、第１のロックピン１２６を受容するために第１のアーム１０２に形成されている。第１のロックピン１２６は、第１のアームのピン開口部１２８を通じ、第１の板ばね１２０の第１の端部１２２を貫通して延びる開口部内に延びて、第１の板ばね１２０を第１のアーム１０２に対してロックしている。下記により詳細に述べるように、第１の板ばね１２０は、第１の板ばね１２０から横方向に延びてやはり第１のアーム１０２に連結された第２の板ばね１５０と摺動可能に係合する突起１２９を更に有している。
【０００９】
第１の板ばね１２０の第１の側壁は、作動形態においてスイッチ１４０と係合してラチェットを構成する複数のラチェット面１３０を有している。図４に示されているように、ラチェット面１３０は、第１の板ばね１２０の本体から遠ざかる方向に傾斜した複数の第１の壁１３２、及び第１の板ばね１２０に対してほぼ直交して延びる複数の第２の壁１３４を有している。
【００１０】
第２の板ばね１５０は、第１のアーム１０２の内側表面に連結された第１の端部１５２から自由端１５４にまで延びている。ロックねじ１８０が、第２の板ばね１５０を貫通して延びる開口部（図には示されていない）を通じ、第１のアーム１０２を貫通して延びる開口部１８２内に挿入されている。別の実施形態では、ロックねじ１８０は、リベット、ピン、又は他のロック機構であってよい。当業者によれば理解されるように、ロックねじ１８０は鉗子１００の分解及びそれに続く滅菌を可能とするように鉗子１００から取り外すことができる。第２の板ばね１５０は、第１のアーム１０２の方向に湾曲した第１の部分１５６及び第２のアーム１０４の方向に湾曲した第２の部分１５８を有している。当業者によれば理解されるように、第２の部分１５８の長さは第１及び第２のアーム１０２，１０４の互いに対する所望の運動範囲がそれぞれ得られるように選択される。第２の部分１５８は、第２の板ばね１５０の長手方向軸と整列した、第２の部分１５８を貫通して延びる細長い開口部１５９を更に有している。作動形態では、第１の板ばね１２０は開口部１５９を通じて延び、突起１２９が開口部１５９の周囲の壁と係合することによって、第２の板ばね１５０を通じた第１の板ばね１２０の運動範囲を制限する。第１の板ばね１２０が図１に示されるように開口部１５９内に完全に挿入される際、第１及び第２のアーム１０２，１０４の互いに向かう運動が、突起１２９と開口部１５９の端部１５７との係合によって第１及び第２のアーム１０２，１０４の更なる圧縮が妨げられるまで突起１２９を開口部１５９に沿って遠位方向に滑らせる。
【００１１】
第１及び第２のアーム１０２，１０４の運動はそれぞれ、第２のアーム１０４の内側表面上に配置され、第１のアーム１０２に向かう向きを有するスイッチ１４０によって更に制限される。スイッチ１４０は、スイッチ１４０を貫通して延び、第２のアーム１０４を貫通して延びる開口部１４２と整列するように構成された開口部（図には示されていない）を有している。ピン１４４が、開口部１４２及びスイッチ１４０の開口部（図には示されていない）を通じて延びている。スイッチ１４０は、図２に示されるように、第２のアーム１０４に対して面一となるように収容された第１の位置から第１のアーム１０２に向かう向きとなる第２の位置へと回転させることが可能である。詳細には、第２のアーム１０４の内側表面は、第１の位置においてスイッチ１４０をその内部に収容するように形成された凹部１９０を有している。スイッチ１４０は、スイッチ１４０を貫通して延び、これを通じて第１の板ばね１２０を受容するような向きを有する開口部１４６を有することで、スイッチ１４０を第２の位置に維持する。開口部１４６は、第１及び第２のアーム１０２，１０４が第１及び第２のアーム１０２，１０４の所望の相対位置を維持するために径方向に圧縮される際に第１の板ばね１２０のラチェット面１３０と係合するように構成されている。詳細には、開口部１４６の第１の壁（図には示されていない）には、第１の壁１３２がそれを通過して滑って第２の壁１３４とロックするように係合することができる向きを有する傾斜壁が形成されている。当業者によれば理解されるように、このような構成により、鉗子１００が閉じた形態となった後で開くことが防止される。したがって、鉗子１００は目的とする手術が完了するまでの間、ロックされた形態に維持される。その後、スイッチ１４０を引き戻すことで鉗子をロック解除して開くことができるようになる。例示的な一方法によれば、下記により詳細に述べるように、鉗子１００は、目的とする手術の必要に応じてロック形態とロック解除形態との間で何度でも動かすことができる。
【００１２】
第１のアーム１０２の遠位端１０９は、骨の外表面にまたがるような形状を有する湾曲した骨係合部分１６０を有している。詳細には、第１のアーム１０２の所定長さの遠位部分は、方向Ａに向かって湾曲した傾斜壁１６２と、方向Ｂに向かってそこから遠位方向に延びる湾曲部分１６４とを有し、傾斜壁１６２は頂点１６３において湾曲部分１６４と接続している。頂点１６３の外側壁に沿った曲率は、例えば、鉗子１００が骨上に配置される際に腱に対するクリアランスを形成するように選択される。湾曲部分１６４の骨接触面は、骨の把持を促すように形成された１つ以上の鋸歯状要素１６６を有している。鋸歯状要素１６６は、湾曲部分１６４の厚みの小さい部分を画定する陥凹部分１６８上に設けられる。一実施形態では、鋸歯状要素１６６は、鉗子１００の長手方向軸１１８に対して直交して延びる複数の細長い切欠き部として形成される。別の実施形態では、切欠き部は、軸１１８に対して任意の適当な角度で延びる。更なる別の実施形態では、鋸歯状要素１６６は、作動形態において骨と係合する向きを有する複数の棘状要素として形成することができる。更に別の実施形態では、湾曲部分１６４は鋸歯形成されずともよい。陥凹部分１６８が骨に対する収容面を与える一方で湾曲部分１６４は骨の周囲を支持する。湾曲部分１６６の長さ及び曲率は、例示的方法に関してより詳細に述べるように、中手骨の把持を可能とするように選択される。詳細には、湾曲部分１６６の曲率は、標的中手骨の外表面の曲率とほぼ一致するように選択される。例示的な一実施形態では湾曲部分１６６の曲率は９ｍｍであるが、これは骨の標的部分（例えば指節骨の標的部分）の曲率に最も近く一致することが見出されている。あるいは、湾曲面１６４には非円形の曲率（例えば楕円状）を形成してもよく、又は更には平坦とすることもできる。別の実施形態では、湾曲部分１６６は、長手方向軸１１８に平行な軸に沿って延びるほぼ直線状とされる。別の実施形態では、遠位端１０９は実質的に鈍端としてもよく、更なる一実施形態では、遠位端１０９は軟組織を標的部位へと貫通するその挿入を助けるように鋭端とされる。
【００１３】
第２のアーム１０４の遠位端１１０は、方向Ａに遠位端１０９から遠ざかる方向に湾曲した湾曲本体１７０を有している。本体１７０の曲率は、閉じた形態において、遠位端１１０の大径ボール先端部１７２が湾曲部分１６６に隣接して位置するように選択される。詳細には、湾曲本体１７０は、作動形態においてボール先端部１７２のみが骨プレートと接触する一方で本体１７０の近位部分は骨プレートから角度をなして離れ、したがって骨プレートの可視化を妨げないように曲率の軸に沿って湾曲している。ボール先端部１７２は、骨プレート（図には示されていない）の骨プレート穴（図には示されていない）を通じて受容されるようにサイズ調整される。詳細には、ボール先端部１７２は、鋸歯形成面１６６が骨の反対側の骨の部分と接触して骨上の骨プレートの位置を維持する間に骨プレート穴を通じて少なくとも部分的に受容され得る。別の実施形態では、ボール先端部１７２は骨の把持を助けるためにその骨対向面上に形成された棘状要素（図には示されていない）を有する。更なる別の実施形態では、先端部１７２は円錐状であり、鈍端又は鋭端化された先端部の一方で終端する。
【００１４】
図２の側面図に示されるように、第１及び第２のアーム１０２，１０４の所定長さの遠位部分はそれぞれ、遠位端１０９，１１０が、第１及び第２のアーム１０２，１０４の近位部分を含む平面から横方向にオフセットした平面内に位置するように湾曲してよい。この構成により、標的治療領域に対する視野を妨げることなく外科医又は他の使用者が鉗子１００を操作することが可能となる。また、第１及び第２のアーム１０２，１０４の所定長さの遠位部分は第１及び第２のアーム１０２，１０４の近位部分と同じ平面に沿って延びてもよく、これにより、遠位端１０９，１１０は第１及び第２のアーム１０２，１０４の近位部分から横方向にオフセットしない。第１及び第２のアーム１０２，１０４の所定長さの遠位部分（すなわち止めねじ１０６の遠位）の幅は、それぞれほぼ均一である。別の実施形態では、第１のアーム１０２の遠位部分の幅は、作動形態において骨の把持を助けるように大きくなっている。
【００１５】
本発明に基づく例示的な一方法では、鉗子１００を、第１の板ばね１２０がスイッチ１４０の開口部１４６内に少なくとも部分的に受容されるようにして組み立てる。好ましい一実施形態では、第１の板ばね１２０を、少なくとも１つの第１の傾斜壁１３２が開口部１４６内にロックして受容されるように挿入する。この構成では、遠位端１０９，１１０はそれぞれ、把持しようとする骨及び骨プレートを合わせた幅よりも少なくとも大きい間隔だけ互いから径方向に離間する。その後、骨プレート（図には示されていない）を骨上の標的位置に配置し、ボール先端部１７２が骨プレートの骨プレート穴内に受容されるようにして鉗子１００を配置する。次いで指ループ１０３に手で圧縮力を加えると第１の板ばね１２０がスイッチ１４０の開口部１４６内へと近位方向に動き、遠位端１０９，１１０がそれぞれ互いに向かって動く。鉗子１００が圧縮される際、外科医が鋸歯形成面１６６を整列させることで骨プレートがそこを覆って取り付けられた骨表面の反対側の骨の標的部分上へのその配置を確実とすることができる。鉗子１００は、骨プレートの骨上での位置を維持するのに充分な圧力で、ボール先端部１７２及び骨係合部分１６０が骨及び骨プレート上に圧縮により受容されるまで圧縮される。外科医が鉗子を離した後にもラチェットが鉗子１００を骨及び骨プレート上の定位置に維持するため、外科医の手が自由となって目的とする骨固定手術が容易となる。次いで１つ以上の骨固定要素（例えば骨ねじ、骨ピンなど）を骨プレートを通じて骨内に挿入することができる。次に鉗子１００を骨プレート及び骨から取り外すことができる。必要に応じて、更なる骨固定要素を、それまでボール先端部１７２が入っていた骨プレート穴を通じて挿入することができる。
【００１６】
この例示的な方法は、湾曲部分１６４を骨上に直接配置することを想定したものであるが、この方法は湾曲部分１６４が皮膚の外側に配置される実施形態も含むことを意図している点に留意されたい。詳細には、この実施形態では、湾曲部分１６４が身体の外側に残り、骨プレート部位の反対側に位置する皮膚上に置かれる一方でボール先端部１７２をプレート穴を通じて挿入することができる。
【００１７】
図５〜７は、本発明の別の実施形態に基づく鉗子２００を示している。下記により詳細に述べるように、鉗子１００がプレート保持鉗子であるのに対して、鉗子２００は整復用鉗子である。鉗子２００は、下記に述べる点以外は鉗子１００とほぼ同様であり、類似の要素は類似の参照符号によって示されている。鉗子２００は遠位端２０９，２１０の構成において鉗子１００と異なっている。第１のアーム２０２の第１の遠位端２０９は、鉗子１００の傾斜壁１６２及び湾曲部分１６４とほぼ同様に形成された傾斜壁１６２及び湾曲部分１６４を有している。第１の遠位端２０９は、作動形態において骨と接触するように形成された尖った先端部２１２で終端している。湾曲面１６４と同様、湾曲面２６４も骨の曲率に一致するように湾曲している。しかしながら、湾曲面１６４が作動形態において骨と係合するように形成されているのに対して、鉗子の先端部２１２のみが骨と直接接触している。
【００１８】
第２の遠位端２１０は、湾曲本体１７０及び湾曲本体１７０に取り付けられた円筒要素２８０を有している。要素２８０は、第１及び第２のアーム２０２，２０４が把持形態となるように互いに合わせられる際に、長手方向軸１１８に直交して延びる向きを有する通路軸２８４に沿った通路２８２がそれを通じて延びる円筒状のチューブとして形成されている。要素２８０は、円形の断面を有する第１の端部２８６から第１及び第２のほぼ鋭端の骨接触先端部２８９，２９０を有する第２の端部２８８にまで延びている。詳細には、第２の端部２８８は、第１及び第２の骨接触先端部２８９，２９０を画定する、第２の端部２８８を通じて延びる２個の切欠き部２９２を有することができる。作動形態において、ドリル器具を通路２８２に挿通して骨固定要素（例えば骨ねじ、骨ピンなど）用の通孔を予め穿孔しておくことができる。
【００１９】
本発明に基づく例示的な一方法によれば骨片化するか又は他の形で損傷した骨を、矯正されたアラインメントとすることができる。次いで、鉗子２００を、遠位端２０９，２１０が骨の互いに反対側の骨片と接して配置されるように操作する。第１及び第２のアーム２０２，２０４を、骨に加えられる圧力が骨を矯正されたアラインメントに一時的に維持するのに充分となるまで骨上に圧縮する。次いで、ドリル器具のドリルチップを通路２８２に挿通して第１及び第２の骨片を貫通する通孔を穿孔することができる。穿孔される通孔は、それを通じてキルシュナー鋼線及び骨ねじの一方を受容するようにサイズ調整することができる。キルシュナー鋼線及び骨ねじは、骨から鉗子２００を取り外す前又はその後で穿孔された通孔を通じて挿入することができる。
【００２０】
当業者であれば、本発明の広義の範囲から逸脱することなく、開示される実施形態の様々な改変及び変更を行い得る点は認識されるであろう。それらの一部のものは上記で検討したものであり、その他のものは当業者には自明であろう。
【００２１】
〔実施の態様〕
（１）  鉗子であって、
近位端から遠位端まで延びる第１のアームと、
近位端から遠位端まで延び、枢動点において前記第１のアームと連結された第２のアームと、
第１の取り付け点において前記第１のアームの内側表面に連結され、前記第２のアームの方向に湾曲した第１の板ばねと、
前記第２のアームの内側表面に連結され、内部を貫通して延びるスイッチ開口部を有するスイッチであって、前記スイッチ開口部が前記第１の板ばねを受容することにより、前記第１及び第２のアームが把持形態へと径方向に圧縮される際に、前記第１及び第２のアームを互いに対して所望の位置に維持するラチェット機構を構成する、スイッチと、を有する、鉗子。
（２）  前記第１の板ばねの側壁が、前記スイッチ開口部と係合して前記ラチェット機構を構成する複数の傾斜壁を有する、実施態様１に記載の鉗子。
（３）  第２の取り付け点において前記第１のアームの前記内側表面に連結された第２の板ばねを更に有する、実施態様１に記載の鉗子。
（４）  前記第１の板ばねの横の壁の当接要素と、
前記第２の板ばねを貫通して延び、内部を通じて前記第１の板ばねを受容するサイズに構成された細長いスロットであって、前記第１の板ばねの前記当接要素における幅が前記細長いスロットの幅よりも大きいことにより、前記第２の板ばねに対する前記第１の板ばねの運動が制限される、細長いスロットと、を更に有する、実施態様３に記載の鉗子。
（５）  前記第１の取り付け点が、前記第２の取り付け点よりも遠位に配置されている、実施態様３に記載の鉗子。
【００２２】
（６）  前記スイッチは、折り畳み形態と、前記スイッチが前記第１のアームの方向に向けられる拡張形態との間で動くことができる、実施態様１に記載の鉗子。
（７）  前記第１のアームの前記遠位端が、骨の外表面の輪郭に一致するように形成された湾曲壁を有する、実施態様１に記載の鉗子。
（８）  前記湾曲壁の骨接触面が、摩擦を高めるための表面処理部を有する、実施態様７に記載の鉗子。
（９）  前記第２のアームの前記遠位端は、骨プレートが配置された表面の反対側の骨の外表面上に前記第１のアームの前記遠位端が配置される際に、前記骨プレートを貫通して延びるプレート穴内に受容されるようなサイズに構成されたボール先端部を有する、実施態様７に記載の鉗子。
（１０）  前記第２のアームの前記遠位端が、前記鉗子の長手方向軸に対してオフセットしたカニューレ軸に沿って延びるカニューレ状円筒体を有し、前記カニューレ状円筒体がこれを通じてドリルガイドを受容するようなサイズに構成されている、実施態様７に記載の鉗子。
【００２３】
（１１）  前記カニューレ状円筒体が、第１及び第２の骨接触先端部を有し、前記第１及び第２の骨接触先端部は、前記湾曲面が骨の第１の部分の反対側の骨の第２の部分と接触する際に前記第１の部分と接触することによって骨折を整復するように構成されている、実施態様１０に記載の鉗子。
（１２）  鉗子であって、
第１のアームと、
前記第１のアームと運動可能に連結された第２のアームと、
第１の取り付け点において前記第１のアームの内側表面に連結され、前記第２のアームの方向に湾曲した第１の板ばねと、
第２の取り付け点において前記第１のアームの前記内側表面に連結され、前記第２のアームの方向に湾曲した第２の板ばねと、
前記第２のアームの内側表面に連結され、内部を貫通して延びるスイッチ開口部を有するスイッチであって、前記スイッチ開口部がそれを通じて前記第１の板ばねを受容することにより、前記第１及び第２のアームが把持形態へと径方向に圧縮される際に、前記第１及び第２のアームの位置を維持するラチェットを構成する、スイッチと、を有する、鉗子。
（１３）  前記第１及び第２の板ばねは、前記鉗子を、前記第１及び第２のアームの遠位端同士が第１の間隔だけ互いから離間した径方向の拡張形態に向かって付勢する、実施態様１２に記載の鉗子。
（１４）  前記第１の取り付け点が、前記第２の取り付け点よりも遠位に位置する、実施態様１２に記載の鉗子。
（１５）  前記第１のアームの遠位端が、骨の外表面の輪郭に一致するように形成された湾曲壁を有する、実施態様１２に記載の鉗子。
【００２４】
（１６）  前記湾曲壁の骨接触面が、摩擦を高めるための表面処理部を有する、実施態様１５に記載の鉗子。
（１７）  前記第２のアームの遠位端は、骨プレートが配置された表面の反対側の骨の外表面上に前記第１のアームの前記遠位端が配置される際に前記骨プレートを貫通して延びるプレート穴内に受容されるようなサイズに構成されたボール先端部を有する、実施態様１５に記載の鉗子。
（１８）  前記第２のアームの遠位端が、前記鉗子の長手方向軸に対してオフセットしたカニューレ軸に沿って延びるカニューレ状円筒体を有し、前記カニューレ状円筒体がこれを通じてドリルガイドを受容するようなサイズに構成されている、実施態様１５に記載の鉗子。
（１９）  前記カニューレ状円筒体が、第１及び第２の骨接触先端部を有し、前記第１及び第２の骨接触先端部は、前記湾曲面が骨の第１の部分の反対側の骨の第２の部分と接触する際に前記第１の部分と接触することによって骨折を整復するように構成されている、実施態様１８に記載の鉗子。
【図１】
2017524435.tif 000003
【図２】
2017524435.tif 000004
【図３】
2017524435.tif 000005
【図４】
2017524435.tif 000006
【図５】
2017524435.tif 000007
【図６】
2017524435.tif 000008
【図７】
2017524435.tif 000009
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
鉗子であって、
近位端から遠位端まで延びる第１のアームと、
近位端から遠位端まで延び、枢動点において前記第１のアームと連結された第２のアームと、
第１の取り付け点において前記第１のアームの内側表面に連結され、前記第２のアームの方向に湾曲した第１の板ばねと、
第２の取り付け点において前記第１のアームの内側表面に連結され、前記第２のアームの方向に湾曲して前記第２のアームと当接する第２の板ばねと、
前記第２のアームの内側表面に連結され、内部を貫通して延びるスイッチ開口部を有するスイッチであって、前記スイッチ開口部が前記第１の板ばねを受容することにより、前記第１及び第２のアームが把持形態へと径方向に圧縮される際に、前記第１及び第２のアームを互いに対して所望の位置に維持するラチェット機構を構成する、スイッチと、を有する、鉗子。
【請求項２】
前記第１の板ばねの側壁が、前記スイッチ開口部と係合して前記ラチェット機構を構成する複数の傾斜壁を有する、請求項１に記載の鉗子。
【請求項３】
前記第１の板ばねの横の壁の当接要素と、
前記第２の板ばねを貫通して延び、内部を通じて前記第１の板ばねを受容するサイズに構成された細長いスロットであって、前記第１の板ばねの前記当接要素における幅が前記細長いスロットの幅よりも大きいことにより、前記第２の板ばねに対する前記第１の板ばねの運動が制限される、細長いスロットと、を更に有する、請求項１に記載の鉗子。
【請求項４】
前記第１の取り付け点が、前記第２の取り付け点よりも遠位に配置されている、請求項１に記載の鉗子。
【請求項５】
前記スイッチは、折り畳み形態と、前記スイッチが前記第１のアームの方向に向けられる拡張形態との間で動くことができる、請求項１に記載の鉗子。
【請求項６】
前記第１のアームの前記遠位端が、骨の外表面の輪郭に一致するように形成された湾曲壁を有する、請求項１に記載の鉗子。
【請求項７】
前記湾曲壁の骨接触面が、摩擦を高めるための表面処理部を有する、請求項６に記載の鉗子。
【請求項８】
前記第２のアームの前記遠位端は、骨プレートが配置された表面の反対側の骨の外表面上に前記第１のアームの前記遠位端が配置される際に、前記骨プレートを貫通して延びるプレート穴内に受容されるようなサイズに構成されたボール先端部を有する、請求項６に記載の鉗子。
【請求項９】
前記第２のアームの前記遠位端が、前記鉗子の長手方向軸に対してオフセットしたカニューレ軸に沿って延びるカニューレ状円筒体を有し、前記カニューレ状円筒体がこれを通じてドリルガイドを受容するようなサイズに構成されている、請求項６に記載の鉗子。
【請求項１０】
前記カニューレ状円筒体が、第１及び第２の骨接触先端部を有し、前記第１及び第２の骨接触先端部は、前記湾曲面が骨の第１の部分の反対側の骨の第２の部分と接触する際に前記第１の部分と接触することによって骨折を整復するように構成されている、請求項９に記載の鉗子。
【請求項１１】
鉗子であって、
第１のアームと、
前記第１のアームと運動可能に連結された第２のアームと、
第１の取り付け点において前記第１のアームの内側表面に連結され、前記第２のアームの方向に湾曲した第１の板ばねと、
第２の取り付け点において前記第１のアームの前記内側表面に連結され、前記第２のアームの方向に湾曲して前記第２のアームと当接する第２の板ばねと、
前記第２のアームの内側表面に連結され、内部を貫通して延びるスイッチ開口部を有するスイッチであって、前記スイッチ開口部がそれを通じて前記第１の板ばねを受容することにより、前記第１及び第２のアームが把持形態へと径方向に圧縮される際に、前記第１及び第２のアームの位置を維持するラチェットを構成する、スイッチと、を有する、鉗子。
【請求項１２】
前記第１及び第２の板ばねは、前記鉗子を、前記第１及び第２のアームの遠位端同士が第１の間隔だけ互いから離間した径方向の拡張形態に向かって付勢する、請求項１１に記載の鉗子。
【請求項１３】
前記第１の取り付け点が、前記第２の取り付け点よりも遠位に位置する、請求項１１に記載の鉗子。
【請求項１４】
前記第１のアームの遠位端が、骨の外表面の輪郭に一致するように形成された湾曲壁を有する、請求項１１に記載の鉗子。
【請求項１５】
前記湾曲壁の骨接触面が、摩擦を高めるための表面処理部を有する、請求項１４に記載の鉗子。
【請求項１６】
前記第２のアームの遠位端は、骨プレートが配置された表面の反対側の骨の外表面上に前記第１のアームの前記遠位端が配置される際に前記骨プレートを貫通して延びるプレート穴内に受容されるようなサイズに構成されたボール先端部を有する、請求項１４に記載の鉗子。
【請求項１７】
前記第２のアームの遠位端が、前記鉗子の長手方向軸に対してオフセットしたカニューレ軸に沿って延びるカニューレ状円筒体を有し、前記カニューレ状円筒体がこれを通じてドリルガイドを受容するようなサイズに構成されている、請求項１４に記載の鉗子。
【請求項１８】
前記カニューレ状円筒体が、第１及び第２の骨接触先端部を有し、前記第１及び第２の骨接触先端部は、前記湾曲面が骨の第１の部分の反対側の骨の第２の部分と接触する際に前記第１の部分と接触することによって骨折を整復するように構成されている、請求項１７に記載の鉗子。
【国際調査報告】
2017524435.tif 000010
2017524435.tif 000011
2017524435.tif 000012
2017524435.tif 000013
2017524435.tif 000014